(57)【要約】【課題】  本発明が解決しようとする課題は、簡単な操作、簡単な構造によりトナー供給口を開閉でき、しかも現像手段への装着前及び現像手段から取り外し後においてトナー供給口が開くことを防止できるトナー供給装置を提供する。【解決手段】  現像手段と、現像手段内に装着され、現像手段にトナーを供給するトナー供給手段を有するトナー供給装置において、トナー供給手段は、トナーを収納するトナー供給部と、トナー供給部に形成されるトナー供給口と、トナー供給口を開閉する開閉部材と、ギアを有し、ギアの回転により開閉部材を回転させるギア連結部材と、開閉部材がトナー供給口を開放する方向へのギアの回転を規制する規制部材と、規制部材を保持してギアに設けられ、開閉部材によってトナー供給口を閉じる方向への前記ギアの回転により前記規制部材の保持を解除する保持部材を備えているトナー供給装置。【選択図】  図２
2011175193.tif 000002
【特許請求の範囲】
【請求項１】
現像手段と、前記現像手段内に装着され、該現像手段にトナーを供給するトナー供給手段を有するトナー供給装置において、
前記トナー供給手段は、
トナーを収納するトナー供給部と、
前記トナー供給部に形成されるトナー供給口と、
前記トナー供給口を開閉する開閉部材と、
ギアを有し、前記ギアの回転により前記開閉部材を回転させるギア連結部材と、
前記開閉部材がトナー供給口を開放する方向への前記ギアの回転を規制する規制部材と、
前記規制部材を保持して前記ギアに設けられ、前記開閉部材によってトナー供給口を閉じる方向への前記ギアの回転により前記規制部材の保持を解除する保持部材を備えており、
前記現像手段は、
前記トナー供給手段の装着動作に基づいて、前記ギア連結部材の前記ギアに接触して前記ギア及び前記保持部材を前記開閉部材によってトナー供給口を閉じる方向へ回転させるギア接触回転手段と、
前記ギア接触回転手段により前記ギア及び前記保持部材を回転した後、前記装着動作に基づいて、前記規制部材による前記ギアの規制を解除する規制解除手段と、
前記規制解除手段により前記ギアの規制を解除した後、前記装着動作に基づいて、前記ギアに当接して前記ギアの回転を前記開閉部材によってトナー供給口を開く方向へ変更する回転変更手段と、
前記回転変更手段により前記ギアの回転方向を変更した後、前記装着動作に基づいて、前記ギアを前記開閉部材によってトナー供給口を開く方向へ回転させることで前記トナー供給口を開放するギア回転手段と、
を備えてなることを特徴とするトナー供給装置。
【請求項２】
前記ギアは、前記ギア接触回転手段に接触する複数の歯から構成され、
前記複数の歯のうち、前記トナー供給手段の装着時に最初に前記ギア接触回転手段に接触する第一の歯は、他の歯に比べて歯幅を広くされているとともに、前記装着時に前記ギア接触回転手段の表面を滑って乗り越える歯面形状に形成されていることを特徴とする請求項１に記載のトナー供給装置。
【請求項３】
前記保持部材は、前記規制部材を保持する切欠部を有していることを特徴とする請求項１又は２に記載のトナー供給装置。
【請求項４】
前記トナー供給手段は、前記保持部材を前記規制部材に付勢する付勢手段を備えていることを特徴とする請求項１乃至３のいずれかに記載のトナー供給装置。
【請求項５】
前記トナー供給手段は、前記開閉部材がトナー供給口を閉じている閉状態を維持する閉維持部材を備え、
前記閉維持部材は、前記トナー供給手段の前記現像手段への装着に基づいて、前記開閉部材の閉状態の維持が解除されることを特徴とする請求項１乃至４のいずれかに記載のトナー供給装置。
【発明の詳細な説明】
【技術分野】
【０００１】
本発明は、トナーを用いて、記録媒体（用紙）に画像を形成する現像手段にトナーを供給するためのトナー供給装置に関するものである。
【背景技術】
【０００２】
一般に、複写機、プリンタ、ファクシミリやこれらの機能を併せ持った複合機等の画像形成装置においては、用紙に画像を形成（転写）する感光体ドラムを有し、この感光体ドラムの回りには現像器が配置されている。現像器は、トナーを用いて、感光体ドラムに形成された静電潜像をトナー像とする。現像器には、トナー供給装置からトナーが供給される。
【０００３】
トナー供給装置は、トナーを収納するトナーコンテナを有する。このコンテナは、画像形成装置内の現像器に装着され、トナーを供給口から現像器にトナーを供給する。また、トナー供給装置においては、トナーコンテナを画像形成装置内の現像器に据え置く型式が主流になっている。トナーコンテナのトナー残量が少なくなると、このコンテナを現像器から取外し、新しいトナーコンテナに交換する。
【０００４】
このトナー供給装置には、トナーコンテナ交換時に、コンテナ内に残留するトナーが供給口から飛散するのを防止するための機構が設けられている。トナー飛散防止の方法としては、トナーコンテナの供給口を画像形成装置内の開閉部材で開閉する装置が提案されている。この従来の技術では、コンテナの供給口が不意の動作で開いてしまうことがある。また、トナーコンテナの交換の際に、作業者がトナーコンテナを現像器に装着するまでの動作において、無意識に触れたり、他の物体に接触する等に起因して、トナー漏れや現像器に対して脱着不能になる可能性がある。
【０００５】
特許文献１に開示されたトナー飛散防止の技術は、コンテナの供給口を開閉する開閉部材（シャッタ部材）を備え、この開閉部材は駆動伝達機構により開閉される。駆動伝達機構は、コンテナに回転自在に設けられたギアと、画像形成装置内に配置される伝達部材で構成される。この伝達部材は、駆動伝達軸の両端にギアを備え、一方のギアをコンテナのギアに、他方のギアを開閉部材に噛合するようにされている。
【０００６】
この特許文献１の開示技術では、コンテナ装着の際に、作業者は画像形成装置内にコンテナを装着することで、コンテナのギア及び開閉部材を駆動伝達軸の各ギアに噛合する。続いて、作業者はコンテナのギアを回転（開閉部材が開く方向へ回転）することで、伝達部材の駆動伝達軸及び各ギアにより開閉部材を開いて供給口から現像器へトナーを供給することが可能な状態になる。
【０００７】
また、コンテナ交換の際に、作業者は画像形成装置内に装着したコンテナのギアを回転（開閉部材を閉じる方向へ回転）することで、伝達部材の駆動伝達軸及び各ギアにより開閉部材を閉じる。そして、作業者はコンテナを画像形成装置内から取出して、新しいコンテナを画像形成装置内に装着する。
【０００８】
特許文献１の開示技術では、コンテナ装着の際、コンテナを装置内に装着する操作、及びコンテナのギアを回転して開閉部材を開く操作を要する。また、コンテナの交換の際、コンテナのギアを回転して開閉部材を閉じる操作、及びコンテナを装置内から取外す操作を要する（コンテナ装着・取外しに２段階の操作）。
従って、特許文献１の開示技術では、作業者はコンテナの装着又は取外しの際、２段階の操作手順を経る必要があり、コンテナ交換の操作が複雑である。
【０００９】
また、特許文献１の開示技術において、コンテナの供給口は、開閉部材を複数のギア、駆動伝達軸で開閉するので、装置の複雑化により、安定した動作に対して信頼性の問題がある。更に、特許文献１の開示技術において、作業者はコンテナを取外す際、開閉部材を閉じることなく、装置内から取外すことができ、この場合、コンテナのトナー供給口からトナーが飛散する虞もある。
【先行技術文献】
【特許文献】
【００１０】
【特許文献１】特開平１１−１９４６００号公報
【発明の概要】
【発明が解決しようとする課題】
【００１１】
本発明が解決しようとする課題は、簡単な操作、簡単な構造によりトナー供給口を開閉でき、しかも現像手段への装着前においてトナー供給口が開くことを防止できるトナー供給装置を提供することにある。
【課題を解決するための手段】
【００１２】
請求項１に係る発明は、現像手段と、前記現像手段内に装着され、該現像手段にトナーを供給するトナー供給手段を有するトナー供給装置において、前記トナー供給手段は、トナーを収納するトナー供給部と、前記トナー供給部に形成されるトナー供給口と、前記トナー供給口を開閉する開閉部材と、ギアを有し、前記ギアの回転により前記開閉部材を回転させるギア連結部材と、前記開閉部材がトナー供給口を開放する方向への前記ギアの回転を規制する規制部材と、前記規制部材を保持して前記ギアに設けられ、前記開閉部材によってトナー供給口を閉じる方向への前記ギアの回転により前記規制部材の保持を解除する保持部材を備えており、前記現像手段は、前記トナー供給手段の装着動作に基づいて、前記ギア連結部材の前記ギアに接触して前記ギア及び前記保持部材を前記開閉部材によってトナー供給口を閉じる方向へ回転させるギア接触回転手段と、前記ギア接触回転手段により前記ギア及び前記保持部材を回転した後、前記装着動作に基づいて、前記規制部材による前記ギアの規制を解除する規制解除手段と、前記規制解除手段により前記ギアの規制を解除した後、前記装着動作に基づいて、前記ギアに当接して前記ギアの回転を前記開閉部材によってトナー供給口を開く方向へ変更する回転変更手段と、前記回転変更手段により前記ギアの回転方向を変更した後、前記装着動作に基づいて、前記ギアを前記開閉部材によってトナー供給口を開く方向へ回転させることで前記トナー供給口を開放するギア回転手段と、を備えてなることを特徴とするトナー供給装置に関する。
【００１３】
請求項２に係る発明は、前記ギアは、前記ギア接触回転手段に接触する複数の歯から構成され、前記複数の歯のうち、前記トナー供給手段の装着時に最初に前記ギア接触回転手段に接触する第一の歯は、他の歯に比べて歯幅を広くされているとともに、前記装着時に前記ギア接触回転手段の表面を滑って乗り越える歯面形状に形成されていることを特徴とする請求項１に記載のトナー供給装置に関する。
【００１４】
請求項３に係る発明は、前記保持部材は、前記規制部材を保持する切欠部を有していることを特徴とする請求項１又は２に記載のトナー供給装置に関する。
【００１５】
請求項４に係る発明は、前記トナー供給手段は、前記保持部材を前記規制部材に付勢する付勢手段を備えていることを特徴とする請求項１乃至３のいずれかに記載のトナー供給装置に関する。
【００１６】
請求項５に係る発明は、前記トナー供給手段は、前記開閉部材がトナー供給口を閉じる閉状態を維持する閉維持部材を備え、前記閉維持部材は、前記トナー供給手段の前記現像手段への装着に基づいて、前記開閉部材の閉状態の維持が解除されることを特徴とする請求項１乃至４のいずれかに記載のトナー供給装置に関する。
【発明の効果】
【００１７】
請求項１に係る発明によれば、現像手段と、前記現像手段内に装着され、該現像手段にトナーを供給するトナー供給手段を有するトナー供給装置において、前記トナー供給手段は、トナーを収納するトナー供給部と、前記トナー供給部に形成されるトナー供給口と、前記トナー供給口を開閉する開閉部材と、ギアを有し、前記ギアの回転により前記開閉部材を回転させるギア連結部材と、前記開閉部材がトナー供給口を開放する方向への前記ギアの回転を規制する規制部材と、前記規制部材を保持して前記ギアに設けられ、前記開閉部材によってトナー供給口を閉じる方向への前記ギアの回転により前記規制部材の保持を解除する保持部材を備えており、前記現像手段は、前記トナー供給手段の装着動作に基づいて、前記ギア連結部材の前記ギアに接触して前記ギア及び前記保持部材を前記開閉部材が閉じる方向へ回転させるギア接触回転手段と、前記ギア接触回転手段により前記ギア及び前記保持部材を回転した後、前記装着動作に基づいて、前記規制部材による前記ギアの規制を解除する規制解除手段と、前記規制解除手段により前記ギアの規制を解除した後、前記装着動作に基づいて、前記ギアに当接して前記ギアの回転を前記開閉部材によってトナー供給口を開く方向へ変更する回転変更手段と、前記回転変更手段により前記ギアの回転方向を変更した後、前記装着動作に基づいて、前記ギアを前記開閉部材によってトナー供給口を開く方向へ回転させることで前記トナー供給口を開放するギア回転手段と、を備えているので、第１に、トナー供給手段の各種部材と現像手段の各種手段との協働により開閉部材を開くことができ、その構造も簡単である。
第２に、作業者によるトナー供給手段の現像手段への装着動作のみで、トナー供給手段の開閉部材を開くことができ、簡単な操作でトナー供給口を開放することができる。
第３に、トナー供給手段は、現像手段への装着前において、保持部材は、規制部材により開閉部材が開く方向への回転が規制される。これにより、保持部材が設けられるギアも開閉部材が開く方向への回転が規制されることになる。
従って、トナー供給手段は、現像手段への装着前において、ギア連結部材に連結される開閉部材の回転も規制されるので、該開閉部材の閉状態が維持されている（開閉部材が開くことのない状態が維持されている）ので、現像手段への装着前において、開閉部材が開いてトナー供給口が開放されて、トナー供給部に収納されたトナーが飛散することがない。
【００１８】
請求項２に係る発明は、前記ギアは、前記ギア接触回転手段に接触する複数の歯から構成され、前記複数の歯のうち、前記トナー供給手段の装着時に最初に前記ギア接触回転手段に接触する第一の歯は、他の歯に比べて歯幅を広くされているとともに、前記装着時に前記ギア接触回転手段の表面を滑って乗り越える歯面形状に形成されているので、トナー供給手段を現像手段へ装着したとき、ギアの第一の歯の歯面形状がギア接触回転手段に滑って乗り越えるように接触移動することより、ギアを開閉部材が閉じる方向へ回転させることができる。これにより、ギアの回転と同時に保持部材も開閉部材が閉じる方向へ回転されるので、保持部材による規制部材の保持を解除できる。
【００１９】
請求項３に係る発明は、前記保持部材は、前記規制部材を保持する切欠部を有しているので、規制部材は、保持部材の切欠部で保持され、ギアから離間する方向への移動を規制できる。また、切欠部を形成するという簡単な構造で規制部材の移動も規制できる。
【００２０】
請求項４に係る発明は、前記トナー供給手段は、前記保持部材を前記規制部材に付勢する付勢手段を備えているので、保持部材による規制部材の保持を確実に行うことができ、保持部材が設けられたギアも規制部材に付勢されるので、ギアの開閉部材が開く方向への回転も規制できる。
【００２１】
請求項５に係る発明は、前記トナー供給手段は、前記開閉部材がトナー供給口を閉じている閉状態を維持する閉維持部材を備え、前記閉維持部材は、前記トナー供給手段の前記現像手段への装着に基づいて、前記開閉部材の閉状態の維持が解除されるので、トナー供給手段は、現像手段への装着前において、閉維持部材により開閉部材の閉状態を維持でき、トナー供給口からトナーが飛散することを防止できる。また、トナー供給手段の現像手段への装着により、開閉部材の閉状態を解除できるので、現像手段へトナーを供給できる。
【図面の簡単な説明】
【００２２】
【図１】本発明の一実施形態に係るトナー供給装置を示す全体斜視図である。
【図２】トナー供給手段を示す全体斜視図である。
【図３】トナー供給手段のトナー供給口を示す斜視図である。
【図４】トナー供給手段に係るギア連結部材とシャッタ機構を示す斜視図である。
【図５】トナー供給手段を構成するギア連結部材とシャッタ機構を現像器本体内に配置した状態を示す斜視図である。
【図６】トナー供給手段を構成するギア連結部材及び保持部材を示す斜視図である。
【図７】トナー供給手段を構成する規制部材を示す斜視図である。
【図８】トナー供給手段を構成するギア連結部材と規制部材の配置関係を示す斜視図である。
【図９】図１におけるＢ−Ｂ矢視図である。
【図１０】図１におけるＣ−Ｃ矢視図である。
【図１１】図１０におけるギア接触回転手段、回転方向変更手段及びギア回転手段を示す拡大図である。
【図１２】図９における規制手段を示す拡大図である。
【図１３】トナー供給手段を現像手段に装着した状態を示す図であって、ギアの第１の歯が接触突起部に接触した状態示す図である。
【図１４】トナー供給手段を現像手段に装着した状態を示す図であって、ギアの第１の歯が接触傾斜面を滑って乗り越えた状態を示す図である。
【図１５】トナー供給手段を現像手段に装着した状態を示す図であって、規制部材によるギアの回転規制を解除した状態を示す図である。
【図１６】トナー供給手段を現像手段に装着した状態を示す図であって、ギアの当接部が回転変更手段の当接突起部に当接した状態を示すである。
【図１７】トナー供給手段を現像手段に装着した状態を示す図であって、ギアの普通歯がギア回転手段のラック部材に噛み合った状態を示す図である。
【図１８】本発明の他の実施形態に係るトナー供給装置におけるトナー供給手段を現像手段に装着する前の状態を示す図であって、開閉部材の閉状態を維持する閉維持部材を示す図である。
【図１９】図１８における拡大斜視図であって、付勢手段の取付け状態を示す図である。
【図２０】図１８における拡大斜視図であって、付勢手段のコイルバネの配置状態を示す図である。
【図２１】図１８におけるギア連結部材の拡大斜視図であって、閉維持手段を示す図である。
【発明を実施するための形態】
【００２３】
本発明に係るトナー供給装置について、図面を参照して説明する。
図１は、本発明の一実施形態に係るトナー供給装置を示す全体斜視図である。図２はトナー供給手段を示す全体斜視図である。図３は、トナー供給手段のトナー供給口を示す斜視図である。図４は、トナー供給手段に係るギア連結部材とシャッタ機構を示す斜視図である。図５はトナー供給手段を構成するギア連結部材とシャッタ機構を現像器本体内に配置した状態を示す斜視図である。図６はトナー供給手段を構成するギア連結部材及び保持部材を示す斜視図である。図７はトナー供給手段を構成する規制部材を示す斜視図である。図８はトナー供給手段を構成するギア連結部材と規制部材の配置関係を示す斜視図である。図９は図１におけるＢ−Ｂ矢視図である。図１０は図１におけるＣ−Ｃ矢視図である。図１１は図１０におけるギア接触回転手段、回転方向変更手段及びギア回転手段を示す拡大図である。図１２は図９おける規制手段を示す拡大図である。図１３はトナー供給手段を現像手段に装着した状態を示す図であって、ギアの第１の歯が接触突起部に接触した状態を示す図である。図１４はトナー供給手段を現像手段に装着した状態を示す図であって、ギアの第１の歯が接触傾斜面を滑って乗り越えた状態を示す図である。図１５はトナー供給手段を現像手段に装着した状態を示す図であって、規制部材によるギアの回転規制を解除した状態を示す図である。図１６はトナー供給手段を現像手段に装着した状態を示す図であって、ギアの当接部が回転変更手段の当接突起部に当接した状態を示すである。図１７はトナー供給手段を現像手段に装着した状態を示す図であって、ギアの普通歯がギア回転手段のラック部材に噛み合った状態を示す図である。
【００２４】
図１において、トナー供給装置（１）は、トナー供給手段（２）と、現像手段（１０２）を備えている。なお、説明の便宜上、先ずトナー供給手段（２）の構成について説明し、続いて現像手段（１０２）について説明する。
【００２５】
先ず、トナー供給手段（２）の基本構成について、図１〜図５を参照しつつ説明する。
【００２６】
＜トナー供給手段（２）の基本構成＞
図１〜図５において、トナー供給手段（２）は、トナーを収納するトナー収容部（３）と、シャッタ機構（４）を備えている。
【００２７】
図１〜図３において、トナー収容部（３）は、トナー供給部であって、コンテナ蓋（３Ａ）とコンテナ本体（３Ｂ）で構成されており、このコンテナ蓋（３Ａ）によりコンテナ本体（３Ｂ）開口側を塞いでいる。このトナー収容部（３）内には、トナーが収納されている。
【００２８】
コンテナ本体（３Ｂ）には、図３に示すように、トナーを供給するトナー供給口（５）が形成されている。このトナー供給口（５）は、コンテナ本体（３Ｂ）の底に形成されている。また、トナー供給口（５）は、図３に示すように、スリット状に形成されて、コンテナ本体（３Ｂ）の幅方向（Ｈ）に一定長さを有して開口している。
【００２９】
シャッタ機構（４）は、図４及び図５に示すように、円筒状の開閉部材（４Ａ）で構成され、この開閉部材（４Ａ）は、コンテナ本体（３Ｂ）内に回転自在に配置されている。また、開閉部材（４Ａ）は、図５に示すように、コンテナ本体（３Ｂ）の幅方向（Ｈ）に延びており、トナー供給口（５）を円筒状外周面で塞ぐことにより閉状態にする。
この開閉部材（４Ａ）は、図４に示すように、内外に開口するトナー補給口（４Ｂ）を有しており、このトナー補給口（４Ｂ）はコンテナ本体（３Ｂ）のトナー供給口（５）に対向できる位置に形成されている。また、トナー補給口（４Ｂ）は、図４に示すように、コンテナ本体（３Ｂ）の幅方向（Ｈ）に延びており、スリット状に形成されている。
なお、円筒状の開閉部材（４Ａ）は、内部にスパイラル部材（図示せず）を有しており、このスパイラル部材を回転させることで、開閉部材（４Ａ）内のトナーをトナー補給口（４Ｂ）に向けて搬送する。また、開閉部材（４Ａ）のトナー補給口（４Ｂ）の反対側には開口部（図示せず）が形成されており、この開口部からコンテナ本体（３Ｂ）内のトナーを開閉部材（４Ａ）内に供給する。
【００３０】
＜トナー供給手段（２）の開閉構成＞
図１〜図８に示すように、トナー供給手段（２）は、シャッタ機構（４）の開閉部材（４Ａ）を開閉するためのトナー供給口開閉機構（６）を備えている。
【００３１】
このトナー供給口開閉機構（６）は、図２、図４、図６及び図７に示すように、ギア連結部材（７）と、規制部材（８）と、保持部材（９）を備えている。
【００３２】
ギア連結部材（７）は、図４及び図６に示すように、ギア（１０）と、連動軸体（１１）で構成されている。
【００３３】
ギア（１０）は、図４及び図６に示すように、円筒状の基部（１２）を有し、この基部（１２）内周にはネジ加工が施されている。このギア（１０）の基部（１２）は、図４及び図６に示すように、複数の歯（１３、１４）から構成されている。これら複数の歯のうち、図１３及び図１４に示すように、トナー供給装置（２）を現像器本体（１０４）内へ装着する時に最初にギア接触回転手段（１１０）の接触傾斜面（１１５）に接触する第１の歯（以下、特殊歯（１３）という）は、他の歯（以下、（普通歯１４）という）に比べて歯幅を広くされている。また、特殊歯（１３）の歯面形状は、図１３及び図１４に示すように、ギア接触回転手段（１１０）の接触傾斜面（１１５）を滑って乗り越えることのできる曲面からなる歯面（１３ａ）に形成されている。
【００３４】
図６に示すように、ギア（１０）の基部（１２）は、当接部（１５）を有しており、この当接部（１５）は特殊歯（１３）の上方方向（Ｑ）の上方に位置して配置されている。また、当接部（１５）は、図６に示すように、特殊歯（１３）の前後方向（Ｐ）の後方に位置している。
【００３５】
連動軸体（１１）は、図４及び図６に示すように、円筒軸部（１１Ａ）と連結軸部（１１Ｂ）で構成され、円筒軸部（１１Ａ）及び連結軸部（１１Ｂ）は一体形成されている。また、連動軸体（１１）の連結軸部（１１Ｂ）は、図４に示すように、シャッタ機構（４）の円筒状の開閉部材（４Ａ）に連結されて、コンテナ本体（３Ｂ）に回転自在に支持されている。
図４及び図６に示すように、ギア（１０）の基部（１２）を連動軸体（１１）の円筒軸部（１１Ａ）外周に装着することで、ギア（１０）と連動軸体（１１）は一体化される。
【００３６】
これにより、ギア（１０）を一方（開閉部材４Ａが図４において時計周りに回転する方向）に回転させると、連結軸体（１１）、開閉部材（４Ａ）も回転され、開閉部材（４Ａ）のトナー補給口（４Ｂ）をコンテナ本体（３Ｂ）のトナー供給口（５）に一致させることで、トナー供給口（５）を開放することが可能となる。
また、トナー補給口（４Ｂ）とトナー供給口（５）が一致する開状態から、ギア（１０）を他方（開閉部材４Ａが図４において反時計周りに回転する方向）に回転させると、開閉部材（４Ａ）の外周面によりコンテナ本体（３Ｂ）のトナー供給口（５）を閉じることが可能となる。
【００３７】
図２及び図８に示すように、規制部材（８）は、ギア連結部材（７）外側に位置して配置され、コンテナ本体（３Ｂ）に取付けられている。
【００３８】
この規制部材（８）は、図７及び図８に示すように、支持基部（１６）と、支持板部（１７）と、規制部（１８ａ）と、規制解除部（１８ｂ）を備えている。この支持基部（１６）は、図２及び図８に示すように、保持部材（９）の間にギア（１０）を介在させる状態で、ギア連結部材（７）のギア（１０）前方側に配置される。支持板部（１７）は、図２及び図８に示すように、支持基部（１６）上端から下方（ギア（１０）側）に延びている。
【００３９】
規制部（１８ａ）及び規制解除部（１８ｂ）は、図７及び図８に示すように、支持基部（１６）から更に下方に延びている。この規制部（１８ａ）は、図７及び図８に示すように、薄板状であって、その下端が後述する保持部材（９）の切欠部（１９）内に嵌め込まれる。規制解除部（１８ｂ）は、図８に示すように、規制部（１８ａ）のギア（１０）側に突出して形成されており、ギア（１０）側に向うに連れて鋭角状になる三角形状にされている。
【００４０】
図４、図６及び図８に示すように、保持部材（９）は、ギア連結部材（７）のギア（１０）に設けられている。この保持部材（９）は、図８に示すように、ギア連結部材（７）から規制部材（８）まで突出している。また、保持部材（９）は、図６及び図８に示すように、規制部材（８）側に開口する切欠部（１９）を有しており、ギア（１０）が回転するとこの切欠部（１９）内に規制部材（８）の規制部（１８ａ）が嵌め込まれるようになっている。
【００４１】
これにより、保持部材（９）は、図８に示すように、規制部（１８ａ）により保持部材（９）が設けられているギア（１０）は時計方向への回転が規制されることになる。
従って、規制部（１８ｂ）により開閉部材（４Ａ）の時計方向への回転が規制されている。
また、トナー供給手段（２）は、現像手段（１０２）への装着前において、ギア連結部材（７）に連結される開閉部材（４Ａ）の回転も規制されるので、該開閉部材（４Ａ）によるトナー供給口（５）の閉状態が維持されている（トナー供給口（５）が開くことのない状態が維持されている）。
【００４２】
なお、ギア連結部材（７）のギア（１０）を、図８に示した位置から、開閉部材（４Ａ）を反時計方向に回転する向きに回転させることで、保持部材（９）も同方向へ回転される。これにより、規制部材（８）の規制部（１８ａ）内から保持部材（９）の切欠部（１９）が抜け出ることになり、保持部材（９）による保持は解除される。
【００４３】
次に、現像手段（１０２）について、図１、図９〜図１２を参照して説明する。
【００４４】
図１、図９及び図１０に示すように、現像手段（１０２）は装着空間（１０３）を有する現像器本体（１０４）を備えている。この現像器本体（１０４）は、図１、図９及び図１０に示すように、上方側に開口している。
【００４５】
また、現像器本体（１０４）は、図１、図９及び図１０に示すように、装着空間（１０３）を区画する前面壁（１０４ａ）の前方側に現像ローラ（１０５）等を備えている。
【００４６】
この現像手段（１０２）は、図９〜図１２に示すように、トナー供給手段（２）の開閉部材（４Ａ）を回転させるためのギア接触回転手段（１１０）と、規制解除手段（１１１）と、回転変更手段（１１２）と、ギア回転手段（１１３）を備えている。
現像手段（１０２）は、図１に示すように、現像器本体（１０４）の装着空間（１０３）内にトナー供給手段（２）を装着することで、該トナー供給手段（２）と協働して開閉部材（４Ａ）の開閉を行なうものである。
【００４７】
図１０において、ギア接触回転手段（１１０）は、現像器本体（１０４）の前面壁（１０４ａ）に設けられている。
【００４８】
このギア接触回転手段（１１０）は、図１０に示すように、現像器本体（１０４）の幅方向（Ｈ）の一端側に位置している。この一端側の位置は、図１に示すように、トナー供給手段（２）を現像器本体（１０２）内に装着する際に、トナー供給口開閉機構（６）に対峙される位置である。
【００４９】
ギア接触回転手段（１１０）は、図１０及び図１１に示すように、前面壁（１０４ａ）の内側（装着空間（１０３）内）に突出して形成され、現像器本体（１０４）の開口端から底側に向って延設される接触突起部（１１４）を有する。この接触突起部（１１４）は、図１１に示すように、現像器本体（１０４）の開口端から底側に向かうに連れて収納空間（１０３）内に拡がる接触傾斜面（１１５）を有している。
このギア接触回転手段（１１０）は、トナー供給手段（２）を構成するギア（１０）の特殊歯（１３）を接触突起部（１１４）に接触せることで、ギア連結部材（７）を開閉部材（４Ａ）がトナー供給口（５）を閉じる方向（図４において反時計方向）へ回転させるものである（図１３及び図１４参照）。
【００５０】
図９において、規制解除手段（１１１）は、現像器本体（１０４）の前面壁（１０４ａ）に設けられている。この規制解除手段（１１１）は、図１０に示すように、現像器本体（１０４）の前面壁（１０４ａ）外側に形成されており、現像器本体（１０４）内のギア接触回転手段（１１０）に対峙して位置している。
【００５１】
規制解除手段（１１１）は、図９及び図１２に示すように、現像器本体（１０４）の開口端から底側に向って傾斜する解除傾斜溝（１１６）を有している。また、規制解除手段（１１１）は、図９及び図１２に示すように、解除終了穴（１１７）が形成されている。この解除終了穴（１１７）は、図９及び図１２に示すように、解除傾斜溝（１１６）の現像器本体（１０４）の底側に形成されている。この解除終了穴（１１７）は、現像器本体（１０４）の外側に開口している。
【００５２】
この規制解除手段（１１１）は、トナー供給手段（２）を現像手段（１０２）に装着する際に、切欠部（１９）から規制部（１８ａ）が抜け出た状態で、トナー供給手段（２）を構成する規制部材（８）の規制解除部（１８ｂ）と接触することで、規制解除部（１８ｂ）を図１５に示す左方向に弾性変形させることにより、規制部材（８）の規制部（１８ａ）によるギア（１０）の回転規制を解除する。
【００５３】
図１０において、回転変更手段（１１２）は、現像器本体（１０４）の前面壁（１０４ａ）内側に設けられている。この回転変更手段（１１２）は、図１０及び図１１に示すように、ギア接触回転手段（１１０）の接触突起部（１１４）に並設されている。この回転変更手段（１１２）は、図１１に示すように、現像器本体（１０４）の前面壁（１０４ａ）から装着空間（１０３）内に突出する当接突起部（１１８）を有している。
【００５４】
この回転変更手段（１１２）は、トナー供給手段（２）を構成するギア連結部材（７）の当接部（１５）を当接突起部（１１８）に当接させることで、ギア（１０）の回転方向を変更する（図１６参照）。
【００５５】
図１０において、ギア回転手段（１１３）は、現像器本体（１０４）の前面壁（１０４ａ）内側に設けられている。このギア回転手段（１１３）は、図１０及び図１１に示すように、接触突起部（１１４）の現像器本体（１０４）底側に設けられている。
また、ギア回転手段（１１３）は、図１０及び図１１に示すように、複数の普通歯（１２０）を有するラック部材（１１９）を有している。このラック部材（１１９）の複数の普通歯（１２０）は、図６に示すギア（１０）の普通歯（１４）に噛み合わされる。
【００５６】
このギア回転手段（１１３）は、ギア（１０）の普通歯（１４）をラック部材（１１９）の普通歯（１２０）に噛み合わせることで、ギア連結部材（７）のギア（１０）を回転する（図１７参照）。
【００５７】
次に、トナー供給手段（２）の装着手順及び交換手順について、図１及び図１３〜図１７を参照して説明する。
【００５８】
＜トナー供給手段（２）の装着手順＞
図１に示すように、トナー供給手段（２）は、作業者によって現像手段（１０２）の上方側に位置付けられる。この状態において、トナー供給手段（２）のトナー収容部（３）は、図１３に示すように、トナー供給口開閉機構（６）が現像器本体（１０４）内のギア接触回転手段（１１０）、回転変更手段（１１２）、ギア回転手段（１１３）に対峙される。
【００５９】
図１３において、作業者がトナー収容部（３）を持って、現像器本体（１０４）内に装着していくと、この装着動作に基づいて、ギア（１０）の特殊歯（１３）の歯面（１３ａ）が現像器本体（１０４）内のギア接触回転手段（１１０）を構成する接触突起部（１１４）に接触する。
【００６０】
図１４において、ギア（１０）の特殊歯（１３）が接触突起部（１１４）に接触した状態で、更にトナー収容部（３）を現像器本体（１０４）に装着すると、この装着動作に基づいて、ギア（１０）の特殊歯（１３）の歯面（１３ａ）は接触突起部（１１４）の接触傾斜面（１１５）を滑って乗り越えて現像器本体（１０４）の底側へ移動される。
この移動により、トナー供給手段（２）のギア（１０）は、開閉部材（４Ａ）が閉じる方向に回転されることになる。このギア（１０）の回転に伴って、このギア（１０）に設けられている保持部材（９）も同方向へ回転される。
これにより、保持部材（９）の切欠部（１９）内から規制部材（８）の規制部（１８ａ）が抜け出ることになり、保持部材（９）による規制部材（８）の保持を解除する（図８及び図１４参照）。
【００６１】
保持部材（９）による規制部材（８）の保持を解除した後、トナー収容部（３）を更に現像器本体（１０４）に装着すると、この装着動作に基づいて、図１５に示すように、規制部材（８）の規制解除部（１８ｂ）は、現像器本体（１０４）の規制解除手段（１１１）を構成する解除傾斜溝（１１６）に当接され、解除傾斜溝（１１６）を摺動しながら現像器本体（１０４）の底側へ移動する。
これにより、規制部材（８）の規制解除部（１８ｂ）は、支持板部（１７）の弾性力に抗してギア（１０）及び保持部材（９）が開閉部材（４Ａ）の開く方向へ回転できる位置まで変形して、ギア（１０）及び保持部材（９）の回転規制を解除する。
【００６２】
規制部材（８）によるギア（１０）の回転規制を解除した後、トナー収容部（３）を更に現像器本体（１０４）に装着すると、この装着動作に基づいて、図１６に示すように、ギア（１０）の当接部（１５）が回転変更手段（１１２）を構成する当接突起部（１１８）に当接する。
これにより、ギア連結部材（７）のギア（１０）は、開閉部材（４Ａ）が閉じる方向への回転（図１４参照）から、逆回転である開閉部材（４Ａ）が開く方向へ回転変更される。
【００６３】
ギア（１０）の回転方向が変更された後、トナー収容部（３）を更に現像器本体（１０４）に装着すると、この装着動作に基づいて、図１７に示すように、ギア（１０）の普通歯（１４）がギア回転手段（１１３）を構成するラック部材（１１９）の普通歯（１２０）に噛み合う。
これにより、ギア（１０）は、更に開閉部材（４Ａ）が開く方向へ回転されるので、ギア連結部材（７）に連結されている開閉部材（４Ａ）も回転される。この回転により、図３〜図５に示す開閉部材（４Ａ）のトナー補給口（４Ｂ）がコンテナ本体（３Ｂ）のトナー供給口（５）に一致（開放）されて、トナー供給手段（２）の現像手段（１０２）への装着動作が完了する。
【００６４】
この状態で、図４及び図５に示す開閉部材（４Ａ）内のスクリュー等を駆動することで、トナー収容部（３）内に収納されているトナーを現像手段（１０２）に供給する。
また、トナー供給手段（２）の現像手段（１０２）への装着が完了すると、図１２及び図１７に示すように、規制部材（８）の規制解除部（１８ｂ）が解除傾斜溝（１１６）から解除終了穴（１１７）内に嵌め込まれる。これにより、規制部材（８）は、弾性変形された支持板部（１７）により、図７及び図８に示すように、規制部材（８）による規制解除前の姿勢（初期姿勢）に復帰され、規制部材（８）の規制解除時による塑性変形を防止できる。
【００６５】
＜トナー供給手段（２）の交換手順＞
トナー収容部（３）内のトナーが無くなると、図１７に示すように、トナー収容部（３）を現像器本体（１０４）内から引出して、新しいトナー収容部（３）と交換する。
作業者がトナー収容部（３）を持って、現像器本体（１０４）内から引出していくと、図１７に示すように、ギア（１０）はラック部材（１１９）の普通歯（１２０）との噛み合いにより、開閉部材（４Ａ）が閉じる方向へ回転される。このギア（１０）の回転に伴って、開閉部材（４Ａ）は、図３〜図５に示すように、トナー補給口（４Ｂ）がトナー収容部（３）のトナー供給口（５）と一致しないように回転され、開閉部材（４Ａ）の外周によりトナー供給口（５）を閉じる。
また、規制部材（８）の規制解除部（１８ｂ）は、図１２、図１７及び図１５に示すように、解除終了穴（１１７）内から抜け出て、解除傾斜溝（１１６）に当接される。
【００６６】
ギア（１０）の開閉部材（４Ａ）が閉じる方向へ回転されることにより、ギア（１０）の当接部（１５）が回転変更手段（１１２）の当接突起部（１１８）に当接される。これにより、ギア（１０）は、開閉部材（４Ａ）が閉じる方向への回転から、逆回転である開閉部材（４Ａ）が開く方向へ回転変更される。
【００６７】
更にトナー収容部（３）を現像器本体（１０４）内から引出していくと、図１３及び図１４に示すように、ギア（１０）も更に開閉部材（４Ａ）が開く方向へ回転され、ギア（１０）の特殊歯（１３）の歯面（１３ａ）が接触突起部（１１４）の接触傾斜面（１１５）を滑って乗り越える。
また、規制部材（８）の規制解除部（１８ｂ）は、図１５に示すように、解除傾斜溝（１１６）に案内されつつギア（１０）側に移動され、遂には図８に示すように、保持部材（９）による保持が可能な位置に戻される。
【００６８】
一方、保持部材（９）もギア（１０）と同時に回転されるので、図１４及び図１３に示すように、保持部材（９）は規制部材（８）の規制部（１８ａ）を切欠部（１９）内に収納して、この規制部材（８）を保持する。これにより、ギア（１０）及び保持部材（９）は、規制部材（８）により開閉部材（４Ａ）の開く方向への回転が規制される。
そして、作業者は、トナー収容部（３）を現像器本体（１０４）から取外して、新しいトナー収容部（３）と交換（装着）する。
【００６９】
次に、本発明に係るトナー供給装置の他の実施形態について、図１８〜図２１を参照して説明する。
図１８は、本発明の他の実施形態に係るトナー供給装置におけるトナー供給手段を現像手段に装着する前の状態を示す図であって、開閉部材の閉状態を維持する閉維持部材を示す図である。図１９は、図１８における拡大斜視図であって、付勢手段の取付け状態を示す図である。図２０は図１８における拡大斜視図であって、付勢手段のコイルバネの配置状態を示す図である。図２１は図１８におけるギア連結部材の拡大斜視図であって、閉維持手段を示す図である。
なお、図１８〜図２１において、図１〜図１７と同一符号は同一部材又は手段を示すので、その説明は省略する。
また、本発明の他の実施形態において、図１８〜図２１では規制部材（８）、規制部（８ａ）等を省略（不図示）した状態を示しているが、本発明の一の実施形態の図２、図７及び図８に示す規制部材（８）、規制部（８ａ）等を備えている。
【００７０】
図１８乃至図２１において、トナー供給手段（２）は、閉維持部材（５１）と付勢手段（５２）を備えている。
【００７１】
閉維持部材（５１）は、図１８及び図２１に示すように、ギア（１０）の基部（１２）から突出する半円突起（５３）で構成される。この半円突起（５３）は、図１８に示すように、コンテナ本体（３Ｂ）の側壁（３ａ）に当接している。なお、図１８に示すトナー供給手段（２）は、開閉部材（４Ａ）でトナー供給口（５）を閉じている状態である（図３及び図５参照）。
【００７２】
この閉維持部材（５１）は、図１８に示すように、半円突起（５３）を側壁（３ａ）に当接することで、ギア（１０）の回転を規制している。これにより、開閉部材（４Ａ）でトナー供給口（５）を閉じている閉状態が維持される。
また、トナー供給手段（２）のトナー収容部（３）を現像手段（１０２）の現像器本体（１０４）内に装着すると、閉維持部材（５１）は、図１３〜図１７に示すギア（１０）の回転と同時に半円突起（５３）も回転する。これにより、半円突起（５３）はコンテナ本体（３Ｂ）の側壁（３ａ）との当接を解除して、これにより、開閉部材（４Ａ）がトナー供給口（５）を閉じている閉状態も解除される。
【００７３】
付勢手段（５２）は、図１９、図２０に示すように、コイルバネ（５４）で構成されている。このコイルバネ（５４）は、ギア連結部材（７）の連結軸部（１１Ｂ）外周に嵌めこまれている。
【００７４】
また、コイルバネ（５４）は、図１９及び図２０に示すように、一端側（５４Ｂ）をコンテナ本体（３Ｂ）の側壁（３ａ）上端に装着し、他端側（５４Ａ）を保持部材（９）の挿通穴（５５）内に嵌め込んでいる。
【００７５】
これにより、付勢手段（５２）のコイルバネ（５４）は、そのバネ力によって保持部材（９）を規制部材（８）の規制部（１８ａ）に向けて付勢している（押付けている）。また、ギア（１０）も保持部材（９）を介して規制部材（８）側に付勢されて、回転が規制される。
従って、保持手段（９）は、図８及び図１９に示すように、コイルバネ（５４）のバネ力により切欠部（１９）内から規制部材（８）の規制部（１８ａ）が抜け出ることを防ぐことができる。この結果、規制部材（８）によるギア（１０）の回転規制を確実に実行でき、現像手段（１０２）への装着前であっても、開閉部材（４Ａ）でトナー供給口（５）を閉じている閉状態を維持できる。
なお、付勢手段（５２）のコイルバネ（５４）のバネ力は、トナー収容部（３）を現像器本体（１０４）内に装着するとき、ギア（１０）の回転を妨げないものとする（図１３〜図１７参照）。
【００７６】
以上のように、本発明に係るトナー供給装置（１）の他の実施形態によれば、トナー収容部（３）を現像器本体（１０）内に装着する前において、図１８に示すように、閉維持部材（５１）の半円突起（５３）が側壁（３ａ）に当接しており、又付勢手段（５２）のコイルバネ（５４）が保持部材（９）を規制部材（８）に付勢しているので、開閉部材（４Ａ）でトナー供給口（５）を閉じている閉状態を維持できる。
【００７７】
本発明に係るトナー供給装置の他の実施形態は、図１３〜図１７で説明したのと同様な手順でトナー供給手段（２）を現像手段（１０２）に装着、又は現像手段（１０２）からトナー供給手段（２）を取外すものであり、以下、閉維持部材（５１）及び付勢手段（５２）の関連動作を中心に説明する。
【００７８】
本発明に係るトナー供給装置の他の実施形態について、図１３及び図１４において、トナー収容部（３）を現像器本体（１０４）に装着すると、その装着動作に伴って、ギア（１０）の特殊歯（１３）が、現像器本体（１０４）のギア接触回転手段（１１０）の接触突起部（１１４）に接触する。
【００７９】
図１３及び図１４において、ギア（１０）の特殊歯（１３）が接触突起部（１１４）に接触した状態で、更にトナー収容部（３）を現像器本体（１０４）に装着すると、この装着動作に基づいて、ギア（１０）の特殊歯（１３）の歯面（１３ａ）は接触突起部（１１４）の接触傾斜面（１１５）を滑って乗り越えて現像器本体（１０４）の底側へ移動される。
この移動により、ギア（１０）は、付勢手段（５２）のコイルバネ（５４）のバネ力に抗して、開閉部材（４Ａ）が閉じる方向に回転されることになる。このギア（１０）の回転に伴って、保持部材（９）も付勢手段（５２）のバネ力に抗して、同方向へ回転される。これにより、規制部材（８）の規制部（１８ａ）内から保持部材（９）の切欠部（１９）が抜け出ることになり、保持部材（９）による規制部材（８）の保持を解除する（図８及び図１４参照）。
【００８０】
また、ギア（１０）の開閉部材（４Ａ）が閉じる方向への回転に伴って、閉維持部材（５１）も同方向へ回転されるので、閉維持部材（５１）の半円突起（５３）はトナー収容部（３）の側壁（３ａ）から離間（当接解除）される（図１８参照）。
【００８１】
図１５において、規制部材（８）によるギア（１０）の回転規制を解除した後、トナー収容部（３）を更に現像器本体（１０４）に装着すると、この装着動作に基づいて、図１６に示すように、ギア（１０）の当接部（１５）が回転変更手段（１１２）の当接突起部（１１８）に当接する。
これにより、ギア連結部材（７）のギア（１０）は、開閉部材（４Ａ）が閉じる方向への回転（図１４参照）から、逆回転である開閉部材（４Ａ）が開く方向へ回転変更される。
【００８２】
ギア（１０）の回転方向が変更された後、トナー収容部（３）を更に現像器本体（１０４）に装着すると、この装着動作に基づいて、図１７に示すように、ギア（１０）の普通歯（１４）がギア回転手段（１１３）のラック部材（１１９）の普通歯（１２０）に噛み合う。
これにより、ギア（１０）は、更に開閉部材（４Ａ）が開く方向へ回転されるので、この回転により、図３〜図５に示す開閉部材（４Ａ）のトナー補給口（４Ｂ）がコンテナ本体（３Ｂ）に一致（開放）されて、トナー供給手段（２）の現像手段（１０２）への装着動作が完了する。
このとき、閉維持部材（５１）の半円突起（５３）は、ギア（１０）と同時に回転され、コンテナ本体（３Ｂ）の側壁（３ａ）に再び当接した後、側壁（３ａ）から離間されることになる。
【００８３】
トナー収容部（３）の交換のため、作業者がトナー収容部（３）を現像器本体（１０４）内から引出していくと、図１７に示すように、ギア（１０）は、その普通歯（１３）のラック部材（１１９）の普通歯（１２０）との噛み合いにより、開閉部材（４Ａ）が閉じる方向へ回転される。このギア（１０）の回転に伴って、開閉部材（４Ａ）は、図３〜図５に示すように、トナー補給口（４Ｂ）をトナー収容部（３）のトナー供給口（５）と一致しないように回転され、開閉部材（４Ａ）の外周によりトナー供給口（５）を閉じる。
また、このギア（１０）の回転により、閉維持部材（５１）の半円突起（５３）は、コンテナ本体（３Ｂ）の側壁（３ａ）に当接した後、側壁（３ａ）から離間される。
【００８４】
ギア（１０）の開閉部材（４Ａ）が閉じる方向へ回転されることにより、図１６に示すように、ギア（１０）の当接部（１５）が回転変更手段（１１２）の当接突起部（１１８）に当接される。これにより、ギア（１０）は、開閉部材（４Ａ）が閉じる方向への回転から、逆回転である開閉部材（４Ａ）が開く方向へ回転変更される。
【００８５】
更にトナー収容部（３）を現像器本体（１０４）内から引出していくと、ギア（１０）も更に開閉部材（４Ａ）が開く方向へ回転され、図１３及び図１４に示すように、ギア（１０）の特殊歯（１３）の歯面（１３ａ）が接触突起部（１１４）の接触傾斜面（１１５）を滑って乗り越える。
また、規制部材（８）の規制解除部（１８ｂ）は、図１５に示すように、解除傾斜溝（１１６）に案内されつつギア（１０）側に移動され、遂には図１４に示すように、保持部材（９）で保持される位置まで戻される。
【００８６】
一方、保持部材（９）もギア（１０）と同時に回転されるので、図１４及び図１３に示すように、保持部材（９）は規制部材（８）の規制部（１８ａ）を切欠部（１９）内に収納して、この規制部材（８）を保持する。このとき、付勢手段（５２）のバネ力により、保持部材（９）及びギア（１０）は規制部材（８）に付勢される。
そして、トナー収容部（３）を現像器本体（１０４）から取外して、新しいトナー収容部（３）と交換（装着）する。
【産業上の利用可能性】
【００８７】
本発明は、トナーを用いて用紙に画像を形成（転写）する複写機、プリンタ、ＦＡＸ等の電子写真方式の画像形成装置や他の印刷機等に対して好適に利用されるものである。
【符号の説明】
【００８８】
１      トナー供給装置
２      トナー供給手段
３      トナー収容部（トナー供給部）
４Ａ    開閉部材
５      トナー供給口
７      ギア連結部材
８      規制部材
９      保持部材
１０    ギア
１３    特殊歯（第一の歯）
１３ａ  歯面
１４    普通歯（他の歯）
１９    切欠部
５１    閉維持部材
５２    付勢手段
１０２  現像手段
１０４  現像器本体
１１０  ギア接触回転手段
１１１  規制解除手段
１１２  回転変更手段
１１３  ギア回転手段
【図１】
2011175193.tif 000003
【図２】
2011175193.tif 000004
【図３】
2011175193.tif 000005
【図４】
2011175193.tif 000006
【図５】
2011175193.tif 000007
【図６】
2011175193.tif 000008
【図７】
2011175193.tif 000009
【図８】
2011175193.tif 000010
【図９】
2011175193.tif 000011
【図１０】
2011175193.tif 000012
【図１１】
2011175193.tif 000013
【図１２】
2011175193.tif 000014
【図１３】
2011175193.tif 000015
【図１４】
2011175193.tif 000016
【図１５】
2011175193.tif 000017
【図１６】
2011175193.tif 000018
【図１７】
2011175193.tif 000019
【図１８】
2011175193.tif 000020
【図１９】
2011175193.tif 000021
【図２０】
2011175193.tif 000022
【図２１】
2011175193.tif 000023